(57)【要約】【課題】無駄な電力を消費することなく快適な暖房を提供できる省エネタイプの暖房装置を提供する。【解決手段】赤外線センサ２４によって、前方に存在する人体を感知する。電源供給制御部２８によって、赤外線センサ２４によって人体が感知されたときに、電源供給部２６からの電源を近赤外線ヒータ１８へ供給させてオンさせ、赤外線センサ２４によって人体が感知されなくなったときに、電源供給部２６からの電源供給を停止させて近赤外線ヒータ１８をオフさせる。【選択図】図３
0003150136.tif 000002
【実用新案登録請求の範囲】
【請求項１】
本体ケーシング内に設けられた近赤外線を輻射する近赤外線ヒータと、
本体ケーシングの内面に設けられ、前記近赤外線ヒータより輻射された近赤外線を暖房方向へ反射させる反射部材と、
前記暖房方向に存在する人体を感知する人体感知センサと、
前記人体感知センサによって人体が感知されたときに、前記近赤外線ヒータをオンさせ、前記人体感知センサによって人体が感知されなくなったときに、前記近赤外線ヒータをオフさせる制御部と、
を含む暖房装置。
【請求項２】
前記人体感知センサを、人体からの赤外線を感知する赤外線センサで構成した請求項１記載の暖房装置。
【考案の詳細な説明】
【技術分野】
【０００１】
本考案は、暖房装置に関する。
【背景技術】
【０００２】
従来より、暖房装置として、石油ファンヒータや遠赤外線ヒータが用いられている。また、省エネのために、消費電力を抑えた暖房装置が知られている。
【考案の概要】
【考案が解決しようとする課題】
【０００３】
しかしながら、石油ファンヒータや遠赤外線ヒータでは、立ち上がりに時間がかかり、快適な暖房を得るまでに時間がかかってしまう、という問題がある。また、消費電力を抑えた暖房装置であっても、人の出入りが多い場所では、人が存在しないときには、暖房装置が無駄に電力を消費してしまう、という問題がある。
【０００４】
本考案は、上記の問題点を解決するためになされたもので、無駄な電力を消費することなく快適な暖房を提供できる省エネタイプの暖房装置を提供することを目的とする。
【課題を解決するための手段】
【０００５】
上記の目的を達成するために本考案に係る暖房装置は、本体ケーシング内に設けられた近赤外線を輻射する近赤外線ヒータと、本体ケーシングの内面に設けられ、前記近赤外線ヒータより輻射された近赤外線を暖房方向へ反射させる反射部材と、前記暖房方向に存在する人体を感知する人体感知センサと、前記人体感知センサによって人体が感知されたときに、前記近赤外線ヒータをオンさせ、前記人体感知センサによって人体が感知されなくなったときに、前記近赤外線ヒータをオフさせる制御部とを含んで構成されている。
【０００６】
本考案に係る暖房装置によれば、人体感知センサによって、暖房方向に存在する人体を感知する。制御部によって、人体感知センサによって人体が感知されたときに、近赤外線ヒータをオンさせ、人体感知センサによって人体が感知されなくなったときに、近赤外線ヒータをオフさせる。
【０００７】
このように、人体感知センサを用いて、近赤外線ヒータをオンオフさせることにより、無駄な電力を消費することなく省エネを実現できると共に、近赤外線ヒータの速い立ち上がりで快適な暖房をすばやく提供することができる。
【０００８】
本考案の人体感知センサを、人体からの赤外線を感知する赤外線センサで構成することができる。
【考案の効果】
【０００９】
以上説明したように、本考案の暖房装置によれば、人体感知センサを用いて、近赤外線ヒータをオンオフさせることにより、無駄な電力を消費することなく省エネを実現できると共に、近赤外線ヒータの速い立ち上がりで快適な暖房をすばやく提供することができる、という効果が得られる。
【図面の簡単な説明】
【００１０】
【図１】本考案の実施の形態に係る暖房装置の正面図である。
【図２】本考案の実施の形態に係る暖房装置の側面図である。
【図３】本考案の実施の形態に係る暖房装置の電気系統を示すブロック図である。
【図４】本考案の実施の形態に係る暖房装置における処理ルーチンの内容を示すフローチャートである。
【考案を実施するための形態】
【００１１】
以下、図面を参照して本考案の実施の形態を詳細に説明する。
【００１２】
図１、２に示すように、本考案の実施の形態に係る暖房装置１０は、暖房装置１０の外枠である本体ケーシング１２と、本体ケーシング１２の下に設けられた脚１４と、本体ケーシング１２及び脚１４を支持するための支持台１６とを備えている。
【００１３】
本体ケーシング１２内には、近赤外線を輻射する棒状の近赤外線ヒータ１８が設けられている。近赤外線ヒータ１８は、立ち上がりが速く、例えば、３秒で最大出力に到達する。本実施の形態では、定格消費電力が７５０Ｗであって最大出力温度が２５０℃のものを使用している。
【００１４】
本体ケーシング１２には、近赤外線ヒータ１８に触れて火傷をすることのないようにするための保護枠２０が設けられている。また、本体ケーシング１２の内面には、近赤外線ヒータ１８から輻射された近赤外線を前方（暖房方向）に反射させるための、表面がほぼアール形状の反射部材２２が設けられている。
【００１５】
支持台１６上には、前方に存在する人体の有無を感知するための赤外線センサ２４が設置されている。赤外線センサ２４は、前方に存在する人体から発せられる赤外線を感知して、感知した赤外線に応じたセンサ信号を出力する。なお、赤外線センサ２４は、人体感知センサの一例である。
【００１６】
次に、暖房装置１０の電気系統について説明する。図３に示すように、暖房装置１０は、商用電源からの電源を用いて、暖房装置１０へ電源を供給する電源供給部２６と、赤外線センサ２４からのセンサ出力に基づいて、電源供給部２６からの電源を近赤外線ヒータ１８へ供給するか停止するかを制御する電源供給制御部２８とを備えている。
【００１７】
電源供給制御部２８は、赤外線センサ２４からのセンサ出力が、予め設定された閾値以上である場合には、前方に人体が存在すると判断し、電源供給部２６からの電源を近赤外線ヒータ１８へ供給させ、一方、赤外線センサ２４からのセンサ出力が閾値未満である場合には、前方に人体が存在しないと判断し、電源供給部２６から近赤外線ヒータ１８への電源供給を停止させる。
【００１８】
次に、本実施の形態に係る暖房装置１０の作用について説明する。メインスイッチ（図示省略）がオンされると、電源供給制御部２８において、図４に示す処理ルーチンが実行される。
【００１９】
まず、ステップ１００において、赤外線センサ２４からのセンサ出力と予め設定された閾値とを比較し、センサ出力が閾値以上であるか否かを判定する。センサ出力が閾値未満である場合には、前方に人体が存在しないと判断し、再びステップ１００を繰り返すが、一方、センサ出力が閾値以上である場合には、ステップ１０２へ進む。
【００２０】
ステップ１０２では、電源供給部２６から近赤外線ヒータ１８への電源供給を開始して、近赤外線ヒータ１８をオンさせる。これによって、近赤外線ヒータ１８は素早く立ち上がり、近赤外線を輻射して、前方に存在する人体に対して快適な暖房を提供する。
【００２１】
そして、ステップ１０４において、赤外線センサ２４からのセンサ出力と予め設定された閾値とを比較し、センサ出力が閾値以上であるか否かを判定する。センサ出力が閾値以上である場合には、前方に人体がまだ存在していると判断し、再びステップ１０４を繰り返すが、一方、センサ出力が閾値未満である場合には、前方に人体が存在しなくなったと判断し、ステップ１０６へ進む。
【００２２】
ステップ１０６では、電源供給部２６から近赤外線ヒータ１８への電源供給を停止して、近赤外線ヒータ１８をオフさせ、再びステップ１００へ戻る。
【００２３】
上記のように処理ルーチンが実行されると、前方に人体が存在するときに近赤外線ヒータ１８がオンされ、前方に人体が存在しなくなると、近赤外線ヒータがオフされ、無駄な電力消費を防いでいる。
【００２４】
以上説明したように、本実施の形態に係る暖房装置によれば、赤外線センサを用いて、近赤外線ヒータをオンオフさせることにより、無駄な電力を消費することなく省エネを実現できる。また、近赤外線ヒータは、石油ファンヒータや遠赤外線ヒータに比べ数倍の速さで立ち上がるため、前方の人体へ快適な暖房をすばやく提供することができる。
【００２５】
また、近赤外線ヒータを用いており、燃焼による暖房ではないため、公害の心配がない。
【００２６】
なお、上記の実施の形態では、赤外線センサを用いて、人体を感知する場合を例に説明したが、これに限定されるものではなく、例えば、温度センサを用いて、前方の人体の存在を感知するようにしてもよい。
【００２７】
また、暖房装置を立たせるように設置するスタンドタイプとした場合を例に説明したが、これに限定されるものではなく、天井や壁から吊り下げるように暖房装置を設置する吊り下げタイプとして構成してもよい。
【符号の説明】
【００２８】
１０   暖房装置
１２   本体ケーシング
１８   近赤外線ヒータ
２２   反射部材
２４   赤外線センサ
２６   電源供給部
２８   電源供給制御部
【図１】
0003150136.tif 000003
【図２】
0003150136.tif 000004
【図３】
0003150136.tif 000005
【図４】
0003150136.tif 000006